(57)【要約】本発明の目的は、部品点数、加工工程数を共に最小限に抑えた、低コストのショーケースカバーを提供する。本発明によるショーケースカバーは、レンズ及び前記レンズの周縁から延伸された周辺部からなる天井部と、前記天井部の周辺部の周縁から延伸された側壁部とを備え、前記天井部のレンズと、前記天井部の周辺部と、前記側壁部とがプラスチックの一体成形により製造され、その際用いられる成形型の表面が鏡面研磨仕上げされた後、前記一体成形用の型の表面のうち前記レンズに対応する部分が光学的研磨仕上げされている、ことを特徴とする。
2008013265.tif 000002
【特許請求の範囲】
【請求項１】
レンズ及び前記レンズの周縁から延伸された周辺部からなる天井部と、前記天井部の周辺部の周縁から延伸された側壁部とを備え、前記天井部のレンズと、前記天井部の周辺部と、前記側壁部とが一体成形されていることを特徴とするショーケースカバー。
【請求項２】
前記レンズの周縁及び前記天井部の周辺部の周縁が同心円をなすことを特徴とする請求項１に記載のショーケースカバー。
【請求項３】
前記レンズの周縁が円形で、前記天井部の周辺部の周縁が正方形をなすことを特徴とする請求項１に記載のショーケースカバー。
【請求項４】
前記レンズの周縁が円形で、前記天井部の周辺部の周縁が楕円形又は長方形をなすことを特徴とする請求項１に記載のショーケースカバー。
【請求項５】
請求項１〜４に記載のショーケースカバーの製造方法であって、前記ショーケースカバーがプラスチックの一体成形により製造され、その際用いられる成形型の表面が鏡面研磨仕上げされた後、前記一体成形用の型の表面のうち前記レンズに対応する部分が光学的研磨仕上げされている、ことを特徴とするショーケースカバーの製造方法。
【発明の詳細な説明】
【技術分野】
【０００１】
本発明は、宝石などの装飾品を含む比較的小型の物品を収容し展示するショーケースのカバーに係り、特に、当該装飾品の細部を拡大展示するためのレンズを備えたショーケースカバーとその製造方法に関するものである。
【背景技術】
【０００２】
宝石などの装飾品を含む比較的小型の物品を収容し展示するショーケースでは、収容した物品を保護しながら外部からの視認を可能にするため、通常透明なカバーが用いられる。
しかしながらカバー越しに肉眼で視認するだけでは、たとえカバーが透明であっても、物品の細部の詳細は見分け難い場合がある。【０００３】
そこで、カバーの一部にレンズを備える構成が提案されている。ここで、レンズは拡大鏡の機能を果たすために、通常凸レンズである。
特許文献１には、カバー（蓋）の一部を刳り抜いて、そこにレンズを備えた物品保管箱が開示されている。
しかしながら、このような構成のレンズ付きカバーは、少なくとも２個の部品「カバー」「レンズ」を要するので部品点数が多く、少なくとも「カバー」本体の形成、刳り抜き加工、レンズの形成、レンズの嵌め込み・固定を要するので、加工工程数が多く、高コストである。
【特許文献１】特開２００６−１０２１４９号公報
【発明の開示】
【発明が解決しようとする課題】
【０００４】
上記のようなレンズ付きのショーケースカバーとその製造方法における諸問題を解決するためになされた本発明の目的は、部品点数、加工工程数を共に最小限に抑えた、低コストのショーケースカバーを提供することにある。
【課題を解決するための手段】
【０００５】
上記の課題を解決するためになされた本発明によるショーケースカバーは請求項１に示すように、レンズ及び前記レンズの周縁から延伸された周辺部からなる天井部と、前記天井部の周辺部の周縁から延伸された側壁部とを備え、前記天井部のレンズと、前記天井部の周辺部と、前記側壁部とが一体成形されていることを特徴とする。【０００６】
また請求項２に示すように、前記レンズの周縁及び前記天井部の周辺部の周縁が同心円をなすことを特徴とする。【０００７】
また請求項３に示すように、前記レンズの周縁が円形で、前記天井部の周辺部の周縁が正方形をなすことを特徴とする。【０００８】
また請求項４に示すように、前記レンズの周縁が円形で、前記天井部の周辺部の周縁が楕円形又は長方形をなすことを特徴とする。【０００９】
また、上記の課題を解決するためになされた本発明によるショーケースカバーの製造方法は請求項５に示すように、請求項１〜４に記載のショーケースカバーの製造方法であって、前記ショーケースカバーがプラスチックの一体成形により製造され、その際用いられる成形型の表面が鏡面研磨仕上げされた後、前記一体成形用の型の表面のうち前記レンズに対応する部分が光学的研磨仕上げされている、ことを特徴とする。
【発明の効果】
【００１０】
本発明の請求項１に係るショーケースカバーによれば、天井部のレンズと、天井部の周辺部と、側壁部とが一体成形されているので、部品点数が１点、製造工程数が成形工程１回と最小限に抑えられているので、低コストのショーケースカバーを提供できる。【００１１】
本発明の請求項２〜４に係るショーケースカバーによれば、多様な種類の装飾品を含む物品の収容に適した、シンプル、スマートでしかも多様な形状のショーケースカバーを提供できる。【００１２】
本発明の請求項５に係るショーケースカバーの製造方法によれば、ショーケースカバーに一体に組み込まれているのも拘らず、光学用レンズに相当する高品質のレンズを備えているので、物品を収容したままの状態で物品の細部の詳細を拡大して正確に観察できるショーケースカバーを提供できる。
【図面の簡単な説明】
【００１３】
【図１】実施例１に係るショーケースカバーを示す、（Ａ）は断面図、（Ｂ）は平面図である。
【図２】実施例２に係るショーケースカバーを示す、（Ａ）は断面図、（Ｂ）は平面図である。
【図３】実施例３に係るショーケースカバーを示す、（Ａ）は断面図、（Ｂ）は平面図である。
【図４】実施例４に係るショーケースカバーを示す、（Ａ）は断面図、（Ｂ）は平面図である。
【図５】実施例５に係るショーケースカバーの製造に用いる成形型の部品の断面図である。
【図６】実施例５に係るショーケースカバーの製造に用いる成形型の完成品の断面図である。
【符号の説明】
【００１４】
１０    レンズ
１０ａ  レンズの外面
１０ｂ  レンズの内面
２０    周辺部
２０ａ  周辺部の外面
２０ｂ  周辺部の内面
３０    側壁部
３０ａ  側壁部の外面
３０ｂ  側壁部の内面
３０ｃ  側壁部の下端面
６０    （成形型の）第１部品
６０ａ  第１部品の第１面
７０    （成形型の）第２部品
７０ａ  第２部品の第１面
７０ｂ  第２部品の第２面
７０ｃ  第２部品の第３面
７０ｄ  第２部品の第４面
８０    （成形型の）第３部品の基体
８０ｄ  第３部品の基体の上面
８１    第３部品の凸部
８１ａ  凸部の第１面
８１ｂ  凸部の第２面
８１ｃ  凸部の第３面
８２    ゲート
９０    （ショーケースの）基体
９０ｃ  基体の上面
９１    （ショーケースの）台座
９１ａ  台座の上面
９１ｂ  台座の側面
１００    成形型
１０１    空洞
【発明を実施するための最良の形態】
【００１５】
以下、本発明に係る実施の形態と効果を、図１ないし図６に従って具体的に説明する。
【実施例１】
【００１６】
図１は本発明の第１の実施例であって、（Ａ）は断面図、（Ｂ）は平面図である。
ショーケースカバーは、レンズ１０と、レンズ１０の周縁から延伸された周辺部２０からなる天井部と、天井部の周辺部の周縁から延伸された円筒状の側壁部３０とを備え、天井部のレンズ１０と、天井部の周辺部２０と、側壁部３０とが一体に成形されて、なっている。【００１７】
ショーケースカバーは、一点鎖線で示した基体９０と組み合わせてショーケースを形成し、ここで、基体９０は台座９１を備え、ショーケースカバーの側壁部３０は、その内面３０ｂで台座９１の側面９１ｂと褶動させながら嵌合すると、台座の下端に連なる基体の上面９０ｃに達して停止する。【００１８】
台座９１の上面９１ａには収容すべき物品（図示せず）が静置され、これを外部（レンズ１０の上方）から観察すると、物品が拡大され、その細部が詳細に視認できる。
このようにして得られたショーケースは、一見ドーム型（釣鐘型）であり、シンプルかつスマートである。【００１９】
拡大された像（虚像）を得るために、レンズと物品の距離、即ち、レンズの内面１０ｂと台座の上面９１ａの距離ａを、レンズ１０の焦点距離ｆよりも若干小さくとる。
例えば、焦点距離ｆ＝５ｃｍのレンズ１０を用いて、下方明視距離２５ｃｍに虚像を得るためには、ａ＝（２５／６）ｃｍとする。これで実物の６倍の虚像が得られる。
【実施例２】
【００２０】
図２は本発明の第２の実施例であって、（Ａ）は断面図、（Ｂ）は平面図である。
上記実施例１とは、ショーケースカバーの側壁部３０が四角筒状であり、これに合わせて基体９０の平面形状が正方形である点が異なる。
なお、レンズ１０の凸面は、上記実施例１と異なり、内面側に凸である。
この他、レンズの内外両面が凸であってもよい。
このようにして、多様な形状のショーケースカバーが得られる。
【実施例３】
【００２１】
図３は本発明の第３の実施例であって、（Ａ）は断面図、（Ｂ）は平面図である。
本実施例では、ショーケースカバーが複数個（２個）のレンズ１０、１０を備え、ショーケースカバー及び基体の平面形状が楕円状である点が上記実施例１と異なる。
このようなショーケースは、例えばネックレースの如き長めの物品で、一端又は両端に特に拡大して展示したい宝石などがある場合に適している。
【実施例４】
【００２２】
図４は本発明の第４の実施例であって、（Ａ）は断面図、（Ｂ）は平面図である。
本実施例では、ショーケースカバーが複数個（図では６個の場合を例示）のレンズ１０を備え、ショーケースカバー及び基体の平面形状が矩形状である点が上記実施例２と異なる。
このようなショーケースは、例えば飾り櫛の如き長めの物品で、全体を拡大して展示したい場合に適している。
【実施例５】
【００２３】
図５、６は本発明の第５の実施例に係る、ショーケースカバーの製造に用いる成形型の断面図であって、図５は成形型の部品の断面図、図６は成形型の完成品の断面図である。
本実施例に係る成形型は、上記実施例１のショーケースカバーの製造を想定しているが、他の、実施例２〜４のショーケースカバーに対応する成形型も同様にして作ることができる。【００２４】
最初に図５を参照すると、本実施例の成形型は３個の部品、第１〜第３部品、６０、７０、８０からなる。
第１部品６０は、その第１面（図で下面）６０ａが凹面をなす円柱状の部品であり、第１面６０ａが、製造すべきショーケースカバーのレンズ１０の外面１０ａ（図１参照）に対応する。【００２５】
第２部品７０は、その内面が、第４面７０ｄ、第１面７０ａ、第２面７０ｂからなる円筒状の部品であり、第４面７０ｄに囲まれた空洞が、後で第１部品６０が嵌合できるようなサイズに設定される。
他方、第１面７０ａ、第２面７０ｂが、製造すべきショーケースカバーの、各々、天井の周辺部２０の外面２０ａ、側壁部の外面３０ａ（図１参照）に対応する。【００２６】
第３部品の基体８０は、凸部８１を有する円柱状の部品であり、凸部８１の第１面８１ａ、第２面８１ｂ、第３面８１ｃが、製造すべきショーケースカバーの、各々、レンズの内面１０ｂ、天井部の周辺部の内面２０ｂ、側壁部の内面３０ｂ（図１参照）に対応する。
第３部品の基体８０の上面８０ｄは、第２部品７０の第３面７０ｃに対応する。
また、第３部品の基体８０の上面８０ｄの一部には、凸部８１の第３面８１ｃに達する溝であるゲート８２が設けられる。【００２７】
以上の成形型部品の各面のうち、少なくとも、製造すべきショーケースカバーの表面に対応する面、６０ａ、７０ａ、７０ｂ、８１ａ、８１ｂ、８１ｃは、鏡面研磨仕上げがなされる。
さらに、少なくとも、製造すべきショーケースカバーのレンズの表面に対応する面、６０ａ、８１ａは、光学的研磨仕上げがなされる。
第１部品６０を第２部品７０と分離して作り、後から嵌合して一体の成形型とする理由は、第１部品６０の第１面６０ａの光学的研磨仕上げを可能にするためである。
即ち光学的研磨仕上げに際しては、研磨ツールの研磨用先端を被研磨面の載る球面に沿って被研磨面の周縁外部まで運動させる必要があり、第１部品６０の第１面６０ａは、第２部品７０に嵌合されたような凹所にある場合、光学的研磨仕上げが不可能になるからである。【００２８】
次に図６を参照すると、上記図５に示した３個の部品６０、７０、８０が組み合わされて本実施例の成形型１００が完成する。
透明プラスチック、例えばメタクリル樹脂の原材料が、成形型１００のゲート８２を通じて空洞１０１に圧入され、プラスチックが固まった後で、第１、第２部品６０、７０と第３部品８０（凸部８１を含む）が離型すると、ショーケースカバー（この場合、上記実施例１に係るもの）が産出する。
この後実際には通常の、ゲートプラスチックの切断、バリとり、コーティングなどが行われるが、ここでは省略する。【００２９】
上記のような成形型の表面の鏡面研磨仕上げを反映して、完成したショーケースカバーの表面は内外共に平滑であり、内部に収容する物品が歪み無く、汚れ無く観察できる。
特に、ショーケースカバーのレンズは、上記のような成形型の表面の光学的研磨仕上げを反映して、一層平滑であり、内部に収容する物品が歪み無く、汚れ無く、拡大されて観察できる。
【図１】
2008013265.tif 000003
【図２】
2008013265.tif 000004
【図３】
2008013265.tif 000005
【図４】
2008013265.tif 000006
【図５】
2008013265.tif 000007
【図６】
2008013265.tif 000008
【手続補正書】
【提出日】平成21年7月27日(2009.7.27)
【手続補正１】
【補正対象書類名】明細書
【補正対象項目名】全文
【補正方法】変更
【補正の内容】
【発明の詳細な説明】
【技術分野】
【０００１】
本発明は、宝石などの装飾品を含む比較的小型の物品を収容し展示するショーケースのカバーに係り、特に、当該装飾品の細部を拡大展示するためのレンズを備えたショーケースカバーに関するものである。
【背景技術】
【０００２】
宝石などの装飾品を含む比較的小型の物品を収容し展示するショーケースでは、収容した物品を保護しながら外部からの視認を可能にするため、通常透明なカバーが用いられる。
しかしながらカバー越しに肉眼で視認するだけでは、たとえカバーが透明であっても、物品の細部の詳細は見分け難い場合がある。
【０００３】
そこで、カバーの一部にレンズを備える構成が提案されている。ここで、レンズは拡大鏡の機能を果たすために、通常凸レンズである。
特許文献１には、カバー（蓋）の一部を刳り抜いて、そこにレンズを備えた物品保管箱が開示されている。
しかしながら、このような構成のレンズ付きカバーは、少なくとも２個の部品「カバー」と「レンズ」を要するので部品点数が多くなり、且つ少なくとも「カバー」本体の形成、刳り抜き加工、レンズの形成、レンズの嵌め込み・固定を要することから、加工工程数が多く、高コストになることは避けられない。
【先行技術文献】
【特許文献】
【０００４】
【特許文献１】特開２００６−１０２１４９号公報
【発明の開示】
【発明が解決しようとする課題】
【０００５】
上記のようなレンズ付きのショーケースカバーの製造における諸問題を解決するためになされた本発明の目的は、部品点数、加工工程数を共に最小限に抑えた、低コストであるが、光学用レンズ級の高品質レンズを備えたショーケースカバーを提供することにある。
【課題を解決するための手段】
【０００６】
上記の課題を解決するためになされた本発明によるショーケースカバーは請求項１に示すように、レンズ及び前記レンズの周縁から延伸された周辺部からなる天井部と、前記天井部の周辺部の周縁から延伸された側壁部とを備え、前記天井部のレンズと、前記天井部の周辺部と、前記側壁部とがプラスチックの一体成形により製造されるショーケースカバーであって、
その際用いられる成形型が凹型と凸型の２型からなり、前記凹型は、さらに第１の型と第２の型からなり、前記第１の型は前記ショーケースカバーのうち前記レンズ部分に対応し、前記第２の型は前記ショーケースカバーのうち前記レンズを除く部分に対応し、前記凸型と前記凹型の第１、第２の型の表面を鏡面研磨仕上げし、前記凸型の表面のうち前記レンズに対応する部分と前記凹型の第１の型の表面を光学的研磨仕上げし、前記凹型の第１の型と第２の型を嵌合して前記凹型を形成する、ことを特徴とする。
【０００７】
また請求項２に示すように、前記レンズの周縁及び前記天井部の周辺部の周縁が同心円をなすことを特徴とする。
【０００８】
更に請求項３に示すように、前記レンズの周縁が円形で、前記天井部の周辺部の周縁が正方形をなすことを特徴とする。
【０００９】
加えて請求項４に示すように、前記レンズの周縁が円形で、前記天井部の周辺部の周縁が楕円形又は長方形をなし、前記レンズが複数個あり、前記複数個のレンズが前記天井部の長手方向に沿って配置されていることを特徴とする。
【発明の効果】
【００１０】
本発明の請求項１に係るショーケースカバーによれば、天井部のレンズと、天井部の周辺部と、側壁部とがプラスチックの一体成形により製造でき、部品点数が１点、製造工程数が成形工程１回と最小限に抑えられているので、低コストのショーケースカバーを提供できる。
【００１１】
しかも、一体成形のための成形型のうち、特に凹型については、凹型の内底部にあたる、レンズに接する部分の表面を、確実に光学的研磨仕上げできるので、光学用レンズに相当する高品質のレンズに適う。
【００１２】
本発明の請求項１に係るショーケースカバーによれば、ショーケースカバーに一体に組み込まれているにも拘らず、光学用レンズに相当する高品質のレンズを備えているので、物品を収容したままの状態で物品の細部の詳細を拡大して正確に観察できるショーケースカバーを提供できる。
【００１３】
本発明の請求項２〜４に係るショーケースカバーによれば、多様な種類の装飾品を含む物品の収容に適した、シンプル、スマートでしかも多様な形状のショーケースカバーを提供できる。
【図面の簡単な説明】
【００１４】
【図１】実施例１に係るショーケースカバーを示す、（Ａ）は断面図、（Ｂ）は平面図である。
【図２】実施例２に係るショーケースカバーを示す、（Ａ）は断面図、（Ｂ）は平面図である。
【図３】実施例３に係るショーケースカバーを示す、（Ａ）は断面図、（Ｂ）は平面図である。
【図４】実施例４に係るショーケースカバーを示す、（Ａ）は断面図、（Ｂ）は平面図である。
【図５】実施例５に係るショーケースカバーの製造に用いる成形型の部品の断面図である。
【図６】実施例５に係るショーケースカバーの製造に用いる成形型の完成品の断面図である。
【発明を実施するための形態】
【００１５】
以下、本発明に係る実施の形態と効果を、図１ないし図６に従って具体的に説明する。
【実施例１】
【００１６】
図１は本発明の第１の実施例であって、（Ａ）は断面図、（Ｂ）は平面図である。
ショーケースカバーは、レンズ１０と、レンズ１０の周縁から延伸された周辺部２０からなる天井部と、天井部の周辺部の周縁から延伸された円筒状の側壁部３０とを備え、天井部のレンズ１０と、天井部の周辺部２０と、側壁部３０とが一体に成形されて、なっている。
【００１７】
ショーケースカバーは、一点鎖線で示した基体９０と組み合わせてショーケースを形成し、ここで、基体９０は台座９１を備え、ショーケースカバーの側壁部３０は、その内面３０ｂで台座９１の側面９１ｂと褶動させながら嵌合すると、台座の下端に連なる基体の上面９０ｃに達して停止する。
【００１８】
台座９１の上面９１ａには収容すべき物品（図示せず）が静置され、これを外部（レンズ１０の上方）から観察すると、物品が拡大され、その細部が詳細に視認できる。
このようにして得られたショーケースは、一見ドーム型（釣鐘型）であり、シンプルかつスマートである。
【００１９】
拡大された像（虚像）を得るために、レンズと物品の距離、即ち、レンズの内面１０ｂと台座の上面９１ａの距離ａを、レンズ１０の焦点距離ｆよりも若干小さくとる。
例えば、焦点距離ｆ＝５ｃｍのレンズ１０を用いて、下方明視距離２５ｃｍに虚像を得るためには、ａ＝（２５／６）ｃｍとする。これで実物の６倍の虚像が得られる。
【実施例２】
【００２０】
図２は本発明の第２の実施例であって、（Ａ）は断面図、（Ｂ）は平面図である。
上記実施例１とは、ショーケースカバーの側壁部３０が四角筒状であり、これに合わせて基体９０の平面形状が正方形である点が異なる。
なお、レンズ１０の凸面は、上記実施例１と異なり、内面側に凸である。
この他、レンズの内外両面が凸であってもよい。
このようにして、多様な形状のショーケースカバーが得られる。
【実施例３】
【００２１】
図３は本発明の第３の実施例であって、（Ａ）は断面図、（Ｂ）は平面図である。
本実施例では、ショーケースカバーが複数個（２個）のレンズ１０、１０を両端部に備え、ショーケースカバー及び基体の平面形状が楕円状である点が上記実施例１と異なる。
このようなショーケースは、例えばネックレースの如き長めの物品で、一端又は両端に特に拡大して展示したい宝石などがある場合に適している。
【実施例４】
【００２２】
図４は本発明の第４の実施例であって、（Ａ）は断面図、（Ｂ）は平面図である。
本実施例では、ショーケースカバーが複数個（図では６個の場合を例示）のレンズ１０を長手方向に沿って備え、ショーケースカバー及び基体の平面形状が矩形状である点が上記実施例２と異なる。
このようなショーケースは、例えば飾り櫛の如き長めの物品で、全体を拡大して展示したい場合に適している。
【実施例５】
【００２３】
図５、６は本発明の第５の実施例に係る、ショーケースカバーの製造に用いる成形型の断面図であって、図５は成形型の部品の断面図、図６は成形型の完成品の断面図である。
本実施例に係る成形型は、上記実施例１のショーケースカバーの製造を想定しているが、他の、実施例２〜４のショーケースカバーに対応する成形型も同様にして作ることができる。
【００２４】
図５を参照すると、本実施例の成形型は３個の部品、第１〜第３部品、６０、７０、８０からなる。
第１部品６０は、その第１面（図で下面）６０ａが凹面をなす円柱状の部品であり、第１面６０ａが、製造すべきショーケースカバーのレンズ１０の外面１０ａ（図１参照）に対応する。
【００２５】
第２部品７０は、その内面が、第４面７０ｄ、第１面７０ａ、第２面７０ｂからなる円筒状の部品であり、第４面７０ｄに囲まれた空洞が、後で第１部品６０が嵌合できるようなサイズに設定される。
他方、第１面７０ａ、第２面７０ｂが、製造すべきショーケースカバーの、各々、天井の周辺部２０の外面２０ａ、側壁部の外面３０ａ（図１参照）に対応する。
【００２６】
第３部品の基体８０は、凸部８１を有する円柱状の部品であり、凸部８１の第１面８１ａ、第２面８１ｂ、第３面８１ｃが、製造すべきショーケースカバーの、各々、レンズの内面１０ｂ、天井部の周辺部の内面２０ｂ、側壁部の内面３０ｂ（図１参照）に対応する。
第３部品の基体８０の上面８０ｄは、第２部品７０の第３面７０ｃに対応する。
また、第３部品の基体８０の上面８０ｄの一部には、凸部８１の第３面８１ｃに達する溝であるゲート８２が設けられる。
【００２７】
以上の成形型部品の各面のうち、少なくとも、製造すべきショーケースカバーの表面に対応する面、６０ａ、７０ａ、７０ｂ、８１ａ、８１ｂ、８１ｃは、鏡面研磨仕上げがなされる。
さらに、少なくとも、製造すべきショーケースカバーのレンズの表面に対応する面、６０ａ、８１ａは、光学的研磨仕上げがなされる。
第１部品６０を第２部品７０と分離して作り、後から嵌合して一体の成形型とする理由は、第１部品６０の第１面６０ａの光学的研磨仕上げを可能にするためである。
即ち光学的研磨仕上げに際しては、研磨ツールの研磨用先端を被研磨面の載る球面に沿って被研磨面の周縁外部まで運動させる必要があり、第１部品６０の第１面６０ａは、第２部品７０に嵌合されたような凹所にある場合、光学的研磨仕上げが不可能になるからである。
【００２８】
次に図６を参照すると、上記図５に示した３個の部品６０、７０、８０が組み合わされて本実施例の成形型１００が完成する。
透明プラスチック、例えばメタクリル樹脂の原材料が、成形型１００のゲート８２を通じて空洞１０１に圧入され、プラスチックが固まった後で、第１、第２部品６０、７０と第３部品８０（凸部８１を含む）が離型すると、ショーケースカバー（この場合、上記実施例１に係るもの）が産出する。
この後実際には通常の、ゲートプラスチックの切断、バリとり、コーティングなどが行われるが、ここでは省略する。
【００２９】
上記のような成形型の表面の鏡面研磨仕上げを反映して、完成したショーケースカバーの表面は内外共に平滑であり、内部に収容する物品が歪み無く、汚れ無く観察できる。
特に、ショーケースカバーのレンズは、上記のような成形型の表面の光学的研磨仕上げを反映して、一層平滑であり、内部に収容する物品が歪み無く、汚れ無く、拡大されて観察できる。
【符号の説明】
【００３０】
１０    レンズ
１０ａ  レンズの外面
１０ｂ  レンズの内面
２０    周辺部
２０ａ  周辺部の外面
２０ｂ  周辺部の内面
３０    側壁部
３０ａ  側壁部の外面
３０ｂ  側壁部の内面
３０ｃ  側壁部の下端面
６０    （成形型の）第１部品
６０ａ  第１部品の第１面
７０    （成形型の）第２部品
７０ａ  第２部品の第１面
７０ｂ  第２部品の第２面
７０ｃ  第２部品の第３面
７０ｄ  第２部品の第４面
８０    （成形型の）第３部品
８０ｄ  第３部品の基体の上面
８１    第３部品の凸部
８１ａ  凸部の第１面
８１ｂ  凸部の第２面
８１ｃ  凸部の第３面
８２    ゲート
９０    （ショーケースの）基体
９０ｃ  基体の上面
９１    （ショーケースの）台座
９１ａ  台座の上面
９１ｂ  台座の側面
１００    成形型
１０１    空洞
【手続補正２】
【補正対象書類名】特許請求の範囲
【補正対象項目名】全文
【補正方法】変更
【補正の内容】
【特許請求の範囲】
【請求項１】
レンズ及び前記レンズの周縁から延伸された周辺部からなる天井部と、前記天井部の周辺部の周縁から延伸された側壁部とを備え、前記天井部のレンズと、前記天井部の周辺部と、前記側壁部とがプラスチックの一体成形により製造されるショーケースカバーであって、
その際用いられる成形型が凹型と凸型の２型からなり、前記凹型は、さらに第１の型と第２の型からなり、前記第１の型は前記ショーケースカバーのうち前記レンズ部分に対応し、前記第２の型は前記ショーケースカバーのうち前記レンズを除く部分に対応し、前記凸型と前記凹型の第１、第２の型の表面を鏡面研磨仕上げし、前記凸型の表面のうち前記レンズに対応する部分と前記凹型の第１の型の表面を光学的研磨仕上げし、前記凹型の第１の型と第２の型を嵌合して前記凹型を形成する、ことを特徴とするショーケースカバー。
【請求項２】
前記レンズの周縁及び前記天井部の周辺部の周縁が同心円をなすことを特徴とする請求項１に記載のショーケースカバー。
【請求項３】
前記レンズの周縁が円形で、前記天井部の周辺部の周縁が正方形をなすことを特徴とする請求項１に記載のショーケースカバー。
【請求項４】
前記レンズの周縁が円形で、前記天井部の周辺部の周縁が楕円形又は長方形をなし、前記レンズが複数個あり、前記複数個のレンズが前記天井部の長手方向に沿って配置されていることを特徴とする請求項１に記載のショーケースカバー。
【国際調査報告】
2008013265.tif 000009
2008013265.tif 000010